(57)【要約】【課題】選択しようとする曲を、同席者が知っているか否かの確認は可能であるが、その曲を実際に知っている人物の特定はできないカラオケ用選曲装置を提供する。【解決手段】カラオケ用選曲装置は、表示部と、他のカラオケ用選曲装置と通信する通信部と、他のカラオケ用選曲装置に対し、カラオケ用選曲装置の使用者が選択した楽曲に対する他のカラオケ用選曲装置の使用者の認識度を問い合せる楽曲認識度照会通知を発する楽曲認識度照会部と、他のカラオケ用選曲装置が、楽曲認識度照会通知に対して応答する楽曲認識度に基づき、他のカラオケ用選曲装置の使用者における問い合せた楽曲の楽曲了知度を生成する楽曲了知度生成部と、楽曲了知度を表示部に表示させる制御部と、内部に存在する楽曲に関する情報に基づき、楽曲認識度を生成すると共に、楽曲認識度照会通知を発したカラオケ用選曲装置に楽曲認識度を応答する楽曲認識度生成部と、を備える。【選択図】図１
2014026223.tif 000002
【特許請求の範囲】
【請求項１】
表示部と、
他のカラオケ用選曲装置と通信可能な通信部と、
を備えるカラオケ用選曲装置であって、
前記他のカラオケ用選曲装置に対し、前記カラオケ用選曲装置の使用者が選択した楽曲に対する前記他のカラオケ用選曲装置の使用者の認識度を問い合せる楽曲認識度照会通知を発する楽曲認識度照会部と、
前記他のカラオケ用選曲装置が、前記楽曲認識度照会通知に対して応答する楽曲認識度に基づき、前記他のカラオケ用選曲装置の使用者における前記問い合せた楽曲の楽曲了知度を生成する楽曲了知度生成部と、
前記楽曲了知度を前記表示部に表示させる制御部と、
内部に存在する楽曲に関する情報に基づき、前記楽曲認識度を生成する楽曲認識度生成部と、
を備え、
前記楽曲認識度生成部は、前記楽曲認識度照会通知を発したカラオケ用選曲装置に前記楽曲認識度を応答することを特徴とするカラオケ用選曲装置。
【請求項２】
内部に存在する音楽ファイルにアクセスし、前記音楽ファイルに関する情報を収集する内部楽曲情報収集部を備え、
楽曲認識度生成部は、前記内部楽曲情報収集部が収集した前記音楽ファイルに関する情報に基づき、前記楽曲認識度を生成する請求項１のカラオケ用選曲装置。
【請求項３】
前記カラオケ用選曲装置の使用者の歌唱履歴を格納する歌唱履歴データベースと、
前記他のカラオケ用選曲装置の使用者が、カラオケ装置に転送した楽曲の履歴を格納する転送楽曲データベースと、
前記カラオケ用選曲装置の使用者がカラオケ装置に転送した楽曲を歌唱履歴データベースに登録するカラオケ装置制御部と、
前記他のカラオケ用選曲装置が前記カラオケ装置に転送した楽曲を、転送楽曲データベースに登録する演奏情報蓄積部と、
前記内部楽曲情報収集部が収集した前記音楽ファイルに関する情報を格納する内部楽曲データベースと、
を備え、
前記楽曲認識度生成部は、前記内部楽曲データベース、前記歌唱履歴データベース又は前記転送楽曲データベースに登録された情報に基づき前記楽曲認識度を生成する請求項２のカラオケ用選曲装置。
【請求項４】
前記楽曲認識度生成部は、前記問い合せを受けた楽曲が前記歌唱履歴データベースに登録されている、又は、前記内部楽曲データベースに登録されている場合には、前記楽曲認識度を第１の認識度に設定し、
前記問い合せを受けた楽曲が、前記歌唱履歴データベース又は前記内部楽曲データベースのいずれにも登録されていない場合には、前記転送楽曲データベースを検索し、前記問い合せを受けた楽曲が前記カラオケ装置に転送された回数が、所定の回数以上の場合に、前記楽曲認識度を前記第１の認識度よりも低い第２の認識度に設定する請求項３のカラオケ用選曲装置。
【請求項５】
前記楽曲認識度生成部は、前記問い合せを受けた楽曲が、前記歌唱履歴データベース又は前記内部楽曲データベースのいずれにも登録されておらず、前記転送楽曲データベースを検索し、前記問い合せを受けた楽曲が前記カラオケ装置に転送された回数が、前記所定の回数よりも少ない場合に、前記楽曲認識度を前記第２の認識度よりも低い第３の認識度に設定する請求項４のカラオケ用選曲装置。
【請求項６】
前記楽曲了知度生成部は、前記他のカラオケ用選曲装置が複数存在する場合に、前記複数の他のカラオケ用選曲装置から得られる複数の前記楽曲認識度の平均値を前記楽曲了知度とする請求項１乃至５のいずれか一に記載のカラオケ用選曲装置。
【請求項７】
前記カラオケ装置制御部は、前記楽曲了知度を伴って表示された楽曲を前記カラオケ装置に転送する請求項３乃至６のいずれか一に記載のカラオケ用選曲装置。
【請求項８】
表示部と、
他のカラオケ用選曲装置と通信可能な通信部と、
を備えるカラオケ用選曲装置の制御方法であって、
前記他のカラオケ用選曲装置に対し、前記カラオケ用選曲装置の使用者が選択した楽曲に対する前記他のカラオケ用選曲装置の使用者の認識度を問い合せる楽曲認識度照会通知を発する楽曲認識度照会工程と、
前記他のカラオケ用選曲装置が、前記楽曲認識度照会通知に対して応答する楽曲認識度に基づき、前記他のカラオケ用選曲装置の使用者における前記問い合せた楽曲の楽曲了知度を生成する楽曲了知度生成工程と、
前記楽曲了知度を前記表示部に表示させる工程と、
内部に存在する楽曲に関する情報に基づき、前記楽曲認識度を生成する楽曲認識度生成工程と、
前記楽曲認識度照会通知を発したカラオケ用選曲装置に前記楽曲認識度を応答する工程と、
を含むことを特徴とするカラオケ用選曲装置の制御方法。
【請求項９】
表示部と、
他のカラオケ用選曲装置と通信可能な通信部と、
を備えるカラオケ用選曲装置を制御するコンピュータに実行させるプログラムであって、
前記他のカラオケ用選曲装置に対し、前記カラオケ用選曲装置の使用者が選択した楽曲に対する前記他のカラオケ用選曲装置の使用者の認識度を問い合せる楽曲認識度照会通知を発する楽曲認識度照会処理と、
前記他のカラオケ用選曲装置が、前記楽曲認識度照会通知に対して応答する楽曲認識度に基づき、前記他のカラオケ用選曲装置の使用者における前記問い合せた楽曲の楽曲了知度を生成する楽曲了知度生成処理と、
前記楽曲了知度を前記表示部に表示させる処理と、
内部に存在する楽曲に関する情報に基づき、前記楽曲認識度を生成する楽曲認識度生成処理と、
前記楽曲認識度照会通知を発したカラオケ用選曲装置に前記楽曲認識度を応答する処理と、
を実行するプログラム。
【請求項１０】
請求項１乃至７のいずれか一に記載のカラオケ用選曲装置と、
前記カラオケ用選曲装置から楽曲の転送を受け付けるカラオケ装置と、
を含むことを特徴とするカラオケシステム。
【発明の詳細な説明】
【技術分野】
【０００１】
本発明は、カラオケ用選曲装置、カラオケ用選曲装置の制御方法、プログラム及びカラオケシステムに関する。
【背景技術】
【０００２】
複数の人間がカラオケを楽しむ際に、その場に居る人が知っている曲を選択したいという要望が存在する。同席者が知っている曲を歌唱した方が、誰も知らない曲を歌唱するよりも雰囲気が盛り上がるためである。しかし、カラオケを楽しんでいる最中は、非常に騒がしく、口頭でコミュニケーションを取ることが難しい。また、事前に選曲した楽曲が同席者に知られてしまうと、新鮮味が失われ、好ましくない。
【０００３】
特許文献１において、他人の歌唱履歴を参照することで選曲の補助を行うカラオケネットワークシステムが開示されている。
【０００４】
特許文献２において、利用者別に愛好曲リストを作成し、内部に保存するカラオケリモコンが開示されている。特許文献２が開示するカラオケリモコンを使用することで、カラオケの利用者は自らの愛好曲リストを確認して、歌唱する曲を選択することができる。さらに、特許文献２が開示するシステムは、他人が歌唱した曲であって、何度も聴いた曲を愛好曲リストに登録を促すことで、愛好曲リストの充実を図っている。
【先行技術文献】
【特許文献】
【０００５】
【特許文献１】特開２００７−２７１９８４号公報
【特許文献２】特許第３９４６６６２号公報
【発明の概要】
【発明が解決しようとする課題】
【０００６】
なお、上記先行技術文献の各開示を、本書に引用をもって繰り込むものとする。以下の分析は、本発明者らによってなされたものである。
【０００７】
上述したように、カラオケを楽しむ際に、同席者が知っている曲を選択したいという要望が存在する。特許文献１が開示するシステムでは、携帯電話を使用して自らを含む同席者の歌唱履歴にアクセスすることで、上記の要望を満たしている。しかし、歌唱履歴は極めて個人的な情報であるので、他人が容易に歌唱履歴を確認できることを不快に思う人間も存在する。
【０００８】
そのため、選択しようとする曲を、同席者が知っているか否かの確認は可能であるが、その曲を実際に知っている人物の特定はできないカラオケ用選曲装置、カラオケ用選曲装置の制御方法、プログラム及びカラオケシステムが、望まれる。
【０００９】
なお、特許文献２が開示するシステムは、選曲を行う人間の愛好曲リストを充実させるための技術であり、同席者が知っている曲を判別するためのものではない。従って、特許文献２が開示する技術では、選択しようとする曲を、同席者が知っているか否かの確認ができない。
【課題を解決するための手段】
【００１０】
本発明の第１の視点によれば、表示部と、他のカラオケ用選曲装置と通信可能な通信部と、を備えるカラオケ用選曲装置であって、前記他のカラオケ用選曲装置に対し、前記カラオケ用選曲装置の使用者が選択した楽曲に対する前記他のカラオケ用選曲装置の使用者の認識度を問い合せる楽曲認識度照会通知を発する楽曲認識度照会部と、前記他のカラオケ用選曲装置が、前記楽曲認識度照会通知に対して応答する楽曲認識度に基づき、前記他のカラオケ用選曲装置の使用者における前記問い合せた楽曲の楽曲了知度を生成する楽曲了知度生成部と、前記楽曲了知度を前記表示部に表示させる制御部と、内部に存在する楽曲に関する情報に基づき、前記楽曲認識度を生成する楽曲認識度生成部と、を備え、前記楽曲認識度生成部は、前記楽曲認識度照会通知を発したカラオケ用選曲装置に前記楽曲認識度を応答するカラオケ用選曲装置が提供される。
【００１１】
本発明の第２の視点によれば、表示部と、他のカラオケ用選曲装置と通信可能な通信部と、を備えるカラオケ用選曲装置の制御方法であって、前記他のカラオケ用選曲装置に対し、前記カラオケ用選曲装置の使用者が選択した楽曲に対する前記他のカラオケ用選曲装置の使用者の認識度を問い合せる楽曲認識度照会通知を発する楽曲認識度照会工程と、前記他のカラオケ用選曲装置が、前記楽曲認識度照会通知に対して応答する楽曲認識度に基づき、前記他のカラオケ用選曲装置の使用者における前記問い合せた楽曲の楽曲了知度を生成する楽曲了知度生成工程と、前記楽曲了知度を前記表示部に表示させる工程と、内部に存在する楽曲に関する情報に基づき、前記楽曲認識度を生成する楽曲認識度生成工程と、前記楽曲認識度照会通知を発したカラオケ用選曲装置に前記楽曲認識度を応答する工程と、を含むカラオケ用選曲装置の制御方法が提供される。
なお、本方法は、表示部と、通信部と、を備えるカラオケ用選曲装置という、特定の機械に結びつけられている。
【００１２】
本発明の第３の視点によれば、表示部と、他のカラオケ用選曲装置と通信可能な通信部と、を備えるカラオケ用選曲装置を制御するコンピュータに実行させるプログラムであって、前記他のカラオケ用選曲装置に対し、前記カラオケ用選曲装置の使用者が選択した楽曲に対する前記他のカラオケ用選曲装置の使用者の認識度を問い合せる楽曲認識度照会通知を発する楽曲認識度照会処理と、前記他のカラオケ用選曲装置が、前記楽曲認識度照会通知に対して応答する楽曲認識度に基づき、前記他のカラオケ用選曲装置の使用者における前記問い合せた楽曲の楽曲了知度を生成する楽曲了知度生成処理と、前記楽曲了知度を前記表示部に表示させる処理と、内部に存在する楽曲に関する情報に基づき、前記楽曲認識度を生成する楽曲認識度生成処理と、前記楽曲認識度照会通知を発したカラオケ用選曲装置に前記楽曲認識度を応答する処理と、を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【００１３】
本発明の第４の視点によれば、上記のカラオケ用選曲装置と、前記カラオケ用選曲装置から楽曲の転送を受け付けるカラオケ装置と、を含むカラオケシステムが提供される。
【発明の効果】
【００１４】
本発明の各視点によれば、選択しようとする曲を、同席者が知っているか否かの確認は可能であるが、その曲を実際に知っている人物の特定はできないカラオケ用選曲装置、カラオケ用選曲装置の制御方法、プログラム及びカラオケシステムが、提供される。
【図面の簡単な説明】
【００１５】
【図１】一実施形態の概要を説明するための図である。
【図２】カラオケシステムの一例を示す図である。
【図３】携帯電話１〜４の動作を説明するための図である。
【図４】携帯電話１の内部構成の一例を示す図である。
【図５】各種のデータベースに登録された情報の一例を示す図である。
【図６】カラオケを開始する際の携帯電話１の動作の一例を示すフローチャートである。
【図７】楽曲認識度照会通知を発してからカラオケ装置５に楽曲を転送するまでの動作の一例を示すフローチャートである。
【図８】楽曲認識度生成部７５の動作の一例を示す図である。
【図９】携帯電話１〜４の相互連携を説明するための図である。
【発明を実施するための形態】
【００１６】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１７】
上述のように、選択しようとする曲を、同席者が知っているか否かの確認は可能であるが、その曲を実際に知っている人物の特定はできないカラオケ用選曲装置が望まれる。
【００１８】
そこで、一例として図１に示すカラオケ用選曲装置１００を提供する。カラオケ用選曲装置１００は、表示部１０１と、通信部１０２と、楽曲認識度照会部１０３と、楽曲了知度生成部１０４と、制御部１０５と、楽曲認識度生成部１０６と、を備える。通信部１０２は、他のカラオケ用選曲装置と通信する。楽曲認識度照会部１０３は、他のカラオケ用選曲装置に対し、カラオケ用選曲装置１００の使用者が選択した楽曲に対する他のカラオケ用選曲装置の使用者の楽曲認識度を問い合せる楽曲認識度照会通知を発する。楽曲了知度生成部１０４は、他のカラオケ用選曲装置が、楽曲認識度照会通知に対して応答する楽曲認識度に基づき、他のカラオケ用選曲装置の使用者における問い合せた楽曲の楽曲了知度を生成する。制御部１０５は、楽曲了知度を表示部１０１に表示させる。楽曲認識度生成部１０６は、内部に存在する楽曲に関する情報に基づき、楽曲認識度を生成すると共に、楽曲認識度照会通知を発したカラオケ用選曲装置に楽曲認識度を応答する。
【００１９】
カラオケ用選曲装置１００は、通信部１０２を使用して他のカラオケ用選曲装置と相互に通信すると共に、選曲しようとしている楽曲がどの程度知られているかを問い合せる楽曲認識度照会通知を発する。楽曲認識度照会通知を受けた他のカラオケ用選曲装置は、その内部に存在する情報から生成した楽曲認識度のみを問い合せ元のカラオケ用選曲装置１００に応答する。さらに、カラオケ用選曲装置１００は、楽曲認識度に基づき、問い合せをした楽曲が同席者にどの程度知られているかについての指標である楽曲了知度を生成し、使用者に提供する。使用者は、提供された楽曲了知度に従って、問い合せをした楽曲を歌唱するか否かを決定できる。また、楽曲認識度のみを通知し、個人が特定されるような情報は送信しないため、どの人物が問い合せた楽曲を知っているのかについては特定できない。
【００２０】
さらに、下記の形態が可能である。
【００２１】
［形態１］
上記第１の視点に係るカラオケ用選曲装置のとおりである。
［形態２］
前記カラオケ用選曲装置は、内部に存在する音楽ファイルにアクセスし、前記音楽ファイルに関する情報を収集する内部楽曲情報収集部を備え、
楽曲認識度生成部は、前記内部楽曲情報収集部が収集した前記音楽ファイルに関する情報に基づき、前記楽曲認識度を生成することが好ましい。
［形態３］
前記カラオケ用選曲装置の使用者の歌唱履歴を格納する歌唱履歴データベースと、
前記他のカラオケ用選曲装置の使用者が、カラオケ装置に転送した楽曲の履歴を格納する転送楽曲データベースと、
前記カラオケ用選曲装置の使用者がカラオケ装置に転送した楽曲を歌唱履歴データベースに登録するカラオケ装置制御部と、
前記他のカラオケ用選曲装置が前記カラオケ装置に転送した楽曲を、転送楽曲データベースに登録する演奏情報蓄積部と、
前記内部楽曲情報収集部が収集した前記音楽ファイルに関する情報を格納する内部楽曲データベースと、
を備え、
前記楽曲認識度生成部は、前記内部楽曲データベース、前記歌唱履歴データベース又は前記転送楽曲データベースに登録された情報に基づき前記楽曲認識度を生成することが好ましい。
［形態４］
前記楽曲認識度生成部は、前記問い合せを受けた楽曲が前記歌唱履歴データベースに登録されている、又は、前記内部楽曲データベースに登録されている場合には、前記楽曲認識度を第１の認識度に設定し、
前記問い合せを受けた楽曲が、前記歌唱履歴データベース又は前記内部楽曲データベースのいずれにも登録されていない場合には、前記転送楽曲データベースを検索し、前記問い合せを受けた楽曲が前記カラオケ装置に転送された回数が、所定の回数以上の場合に、前記楽曲認識度を前記第１の認識度よりも低い第２の認識度に設定することが好ましい。
［形態５］
前記楽曲認識度生成部は、前記問い合せを受けた楽曲が、前記歌唱履歴データベース又は前記内部楽曲データベースのいずれにも登録されておらず、前記転送楽曲データベースを検索し、前記問い合せを受けた楽曲が前記カラオケ装置に転送された回数が、前記所定の回数よりも少ない場合に、前記楽曲認識度を前記第２の認識度よりも低い第３の認識度に設定することが好ましい。
［形態６］
前記楽曲了知度生成部は、前記他のカラオケ用選曲装置が複数存在する場合に、前記複数の他のカラオケ用選曲装置から得られる複数の前記楽曲認識度の平均値を前記楽曲了知度とすることが好ましい。
［形態７］
前記カラオケ装置制御部は、前記楽曲了知度を伴って表示された楽曲を前記カラオケ装置に転送することが好ましい。
［形態８］
前記制御部は、前記他のカラオケ用選曲装置と相互に通信することで、ネットワークドメインを形成することが好ましい。
［形態９］
上記第２の視点に係るカラオケ用選曲装置の制御方法のとおりである。
［形態１０］
前記カラオケ用選曲装置の制御方法は、内部に存在する音楽ファイルにアクセスし、前記音楽ファイルに関する情報を収集する内部楽曲情報収集工程を含み、
楽曲認識度生成工程は、前記内部楽曲情報収集工程が収集した前記音楽ファイルに関する情報に基づき、前記楽曲認識度を生成することが好ましい。
［形態１１］
前記カラオケ用選曲装置は、
前記カラオケ用選曲装置の使用者の歌唱履歴を格納する歌唱履歴データベースと、
前記他のカラオケ用選曲装置の使用者が、カラオケ装置に転送した楽曲の履歴を格納する転送楽曲データベースと、
前記内部楽曲情報収集工程において収集した前記音楽ファイルに関する情報を格納する内部楽曲データベースと、
を備え、
前記カラオケ用選曲装置の使用者がカラオケ装置に転送した楽曲を歌唱履歴データベースに登録する工程と、
前記他のカラオケ用選曲装置が前記カラオケ装置に転送した楽曲を、転送楽曲データベースに登録する工程と、
を含み、
前記楽曲認識度生成工程は、前記内部楽曲データベース、前記歌唱履歴データベース又は前記転送楽曲データベースに登録された情報に基づき前記楽曲認識度を生成することが好ましい。
［形態１２］
前記楽曲認識度生成工程は、前記問い合せを受けた楽曲が前記歌唱履歴データベースに登録されている、又は、前記内部楽曲データベースに登録されている場合には、前記楽曲認識度を第１の認識度に設定する工程と、
前記問い合せを受けた楽曲が、前記歌唱履歴データベース又は前記内部楽曲データベースのいずれにも登録されていない場合には、前記転送楽曲データベースを検索し、前記問い合せを受けた楽曲が前記カラオケ装置に転送された回数が、所定の回数以上の場合に、前記楽曲認識度を前記第１の認識度よりも低い第２の認識度に設定する工程と、
を含むことが好ましい。
［形態１３］
前記楽曲認識度生成工程は、前記問い合せを受けた楽曲が、前記歌唱履歴データベース又は前記内部楽曲データベースのいずれにも登録されておらず、前記転送楽曲データベースを検索し、前記問い合せを受けた楽曲が前記カラオケ装置に転送された回数が、前記所定の回数よりも少ない場合に、前記楽曲認識度を前記第２の認識度よりも低い第３の認識度に設定する工程を含むことが好ましい。
［形態１４］
前記楽曲了知度生成工程は、前記他のカラオケ用選曲装置が複数存在する場合に、前記複数の他のカラオケ用選曲装置から得られる複数の前記楽曲認識度の平均値を前記楽曲了知度とすることが好ましい。
［形態１５］
上記第３の視点に係るプログラムのとおりである。
［形態１６］
前記プログラムは、内部に存在する音楽ファイルにアクセスし、前記音楽ファイルに関する情報を収集する内部楽曲情報収集処理を実行し、
楽曲認識度生成処理は、前記内部楽曲情報収集処理が収集した前記音楽ファイルに関する情報に基づき、前記楽曲認識度を生成することが好ましい。
［形態１７］
前記カラオケ用選曲装置は、
前記カラオケ用選曲装置の使用者の歌唱履歴を格納する歌唱履歴データベースと、
前記他のカラオケ用選曲装置の使用者が、カラオケ装置に転送した楽曲の履歴を格納する転送楽曲データベースと、
前記内部楽曲情報収集処理において収集した前記音楽ファイルに関する情報を格納する内部楽曲データベースと、
を備え、
前記カラオケ用選曲装置の使用者がカラオケ装置に転送した楽曲を歌唱履歴データベースに登録する処理と、
前記他のカラオケ用選曲装置が前記カラオケ装置に転送した楽曲を、転送楽曲データベースに登録する処理と、
を実行し、
前記楽曲認識度生成処理は、前記内部楽曲データベース、前記歌唱履歴データベース又は前記転送楽曲データベースに登録された情報に基づき前記楽曲認識度を生成することが好ましい。
［形態１８］
前記楽曲認識度生成処理は、前記問い合せを受けた楽曲が前記歌唱履歴データベースに登録されている、又は、前記内部楽曲データベースに登録されている場合には、前記楽曲認識度を第１の認識度に設定する処理と、
前記問い合せを受けた楽曲が、前記歌唱履歴データベース又は前記内部楽曲データベースのいずれにも登録されていない場合には、前記転送楽曲データベースを検索し、前記問い合せを受けた楽曲が前記カラオケ装置に転送された回数が、所定の回数以上の場合に、前記楽曲認識度を前記第１の認識度よりも低い第２の認識度に設定する処理と、
を実行することが好ましい。
［形態１９］
前記楽曲認識度生成処理は、前記問い合せを受けた楽曲が、前記歌唱履歴データベース又は前記内部楽曲データベースのいずれにも登録されておらず、前記転送楽曲データベースを検索し、前記問い合せを受けた楽曲が前記カラオケ装置に転送された回数が、前記所定の回数よりも少ない場合に、前記楽曲認識度を前記第２の認識度よりも低い第３の認識度に設定する処理を実行することが好ましい。
［形態２０］
前記楽曲了知度生成処理は、前記他のカラオケ用選曲装置が複数存在する場合に、前記複数の他のカラオケ用選曲装置から得られる複数の前記楽曲認識度の平均値を前記楽曲了知度とすることが好ましい。
［形態２１］
上記第４の視点に係るカラオケシステムのとおりである。
【００２２】
以下に具体的な実施の形態について、図面を参照してさらに詳しく説明する。
【００２３】
［第１の実施形態］
第１の実施形態について、図面を用いてより詳細に説明する。
【００２４】
図２は、カラオケシステムの一例を示す図である。本実施形態においては、携帯電話をカラオケ用選曲装置として使用するものとして説明するが、カラオケ用選曲装置は携帯電話に限定されるものではない。カラオケ用選曲装置には、スマートフォンやＰＤＡ（Personal Digital Assistant；携帯情報端末）等の携帯電子機器が考えられる。
【００２５】
図２に示すカラオケシステムは、携帯電話１〜４と、カラオケ装置５と、を含んで構成される。図２に示すカラオケシステムにおいて、それぞれの携帯電話１〜４は相互に通信可能であると共に、カラオケ装置５にアクセスして、楽曲を転送することができる。より具体的には、携帯電話１〜４は、ＩＥＥＥ（Institute of Electrical and Electronics Engineers）８０２．１１ａ／ｂ／ｇ／ｎ等の無線通信やＢｌｕｅｔｏｏｔｈ（登録商標）等の手段を使用し、相互に通信することでネットワークドメインを形成する。
【００２６】
さらに、携帯電話１〜４は、それぞれの使用者が選択した楽曲をカラオケ装置５に転送するため、カラオケ装置５とも通信可能に構成されている。つまり、携帯電話１〜４は、カラオケ装置５のリモコンとして機能する。なお、カラオケ装置５は、携帯電話１〜４からの楽曲転送を受け付け可能であればどのような構成であってもよい。
【００２７】
次に、携帯電話１〜４の動作の概略を説明する。なお、携帯電話１〜４はそれぞれ同じ機能及び構造を備えるため、携帯電話１を中心に以降の説明を行う。
【００２８】
図３は、携帯電話１〜４の動作を説明するための図である。
【００２９】
携帯電話１の使用者は、同一のネットワークドメインに含まれる他の携帯電話２〜４に対して、これから歌唱しようと思っている楽曲を他の同席者（携帯電話２〜４の使用者）が知っているか否かを問い合せる。その際のインターフェイスの一例が、図３（ａ）である。
【００３０】
携帯電話１から楽曲の問い合せを受けた他の携帯電話２〜４は、その楽曲を使用者が知っている可能性を判断し、携帯電話１に応答する。応答を受け取った携帯電話１は、問い合せをした楽曲がどの程度、同席者に知られているかに関する情報を使用者に提供する。図３（ｂ）は、問い合せをした楽曲が「知られている」場合の表示である。一方、図３（ｃ）は、問い合せをした楽曲が「知られていない」場合の表示である。携帯電話１の使用者は、このような表示から問い合せをした楽曲を歌唱するか（カラオケ装置５に転送するか）を決定する。
【００３１】
次に、携帯電話１の構成について説明する。
【００３２】
図４は、携帯電話１の内部構成の一例を示す図である。なお、携帯電話２〜４の内部構成は、携帯電話１と相違する点は存在しないので、説明を省略する。
【００３３】
携帯電話１は、表示部１０と、操作部２０と、通信部３０と、歌唱履歴データベース４０と、内部楽曲データベース５０と、転送楽曲データベース６０と、制御部７０と、を含んで構成されている。なお、図４には、簡単のため、本実施形態に係る携帯電話１に関係するモジュールのみを記載する。
【００３４】
携帯電話１の使用者は、表示部１０を視認しながら選曲を行う。その際の操作は、操作部２０が受け付ける。表示部１０は、液晶パネル等の表示デバイスを含んで構成され、操作部２０は、タッチパネルやハードウエアキー等により構成される。通信部３０は、携帯電話１〜４間の通信やカラオケ装置５との通信を実現する。
【００３５】
携帯電話１の内部に含まれる各種データベースは、携帯電話１の使用者が、他の携帯電話から問い合せを受けた楽曲をどの程度認識しているかを示す楽曲認識度を生成する際に必要な情報を記憶する。これらのデータベースに記憶する情報については後述する。
【００３６】
制御部７０は、携帯電話１の全体を制御すると共に、図４に図示した各部の制御を行う。なお、制御部７０は、携帯電話１に搭載されたコンピュータに、そのハードウェアを用いて、後に詳述する制御部７０に含まれる各部の処理を実行させるコンピュータプログラムにより実現することもできる。
【００３７】
制御部７０は、通信制御部７１と、カラオケ装置制御部７２と、楽曲認識度照会部７３と、内部楽曲情報収集部７４と、楽曲認識度生成部７５と、楽曲了知度生成部７６と、演奏情報蓄積部７７と、を含んで構成されている。
【００３８】
通信制御部７１は、他の携帯電話２〜４とネットワークドメインを形成する機能を備える。具体的には、使用者がカラオケを開始する際などに専用のアプリケーション（携帯電話１をカラオケリモコンとして機能させるアプリケーション）を起動した際等に、ネットワークドメインへの参加要求を発行する。携帯電話２〜４は、ネットワークドメインへの参加要求を受け取る。携帯電話２〜４は、ネットワークドメインへの参加要求に対して、ＡＣＫ（Acknowledge）応答を行うことで、携帯電話１のネットワークドメインへの参加が完了する。
【００３９】
カラオケ装置制御部７２は、携帯電話１の使用者が選択した楽曲をカラオケ装置５に送信する。その際、カラオケ装置制御部７２は、通信部３０を介して選曲データをカラオケ装置５に送信する。カラオケ装置制御部７２は、楽曲をカラオケ装置５に転送した場合は、そのような楽曲を歌唱したものとみなし、歌唱履歴情報として歌唱履歴データベース４０に登録する機能も備える。
【００４０】
楽曲認識度照会部７３は、他の携帯電話２〜４（同じネットワークドメインに含まれる携帯電話）に対し、選曲しようとしている楽曲を同席者が知っているか否かを問い合せる楽曲認識度照会通知を、通信部３０を介して発する。
【００４１】
内部楽曲情報収集部７４は、特定のタイミングを契機として、携帯電話１の内部に存在する音楽ファイルにアクセスし、その音楽ファイルに関する情報を収集する。より具体的には、内部楽曲情報収集部７４は、音楽ファイルを格納するストレージ（図示せず）にアクセスし、ＭＰ３（MPEG Audio Layer-3）等の拡張子を持つ音楽ファイルにアクセスし、楽曲名やアーティスト名等の情報を内部楽曲情報として内部楽曲データベース５０に登録する。なお、内部楽曲情報収集部７４が、内部楽曲情報の収集を行うタイミングは、カラオケを開始した際でもよいし、一定時時間ごとであってもよいが、これらに限定されるものではない。例えば、使用者が明示的に内部に存在する音楽ファイルに関する情報を収集する操作を行ってもよい。
【００４２】
楽曲認識度生成部７５は、他の携帯電話２〜４が発した楽曲認識度照会通知を受けた場合に、携帯電話１の内部に蓄積された情報に基づき、問い合せを受けた楽曲の認識度を生成する。例えば、問い合せを受けた楽曲を、「知っている」、「知っている可能性が高い」、「知っている可能性が低い」、「知らない」の４段階に分類し、問い合せを受けた楽曲に対する楽曲認識度とする。なお、楽曲認識度生成部７５が生成する楽曲認識度は、４段階に限定されるものではないのは勿論であり、問い合せを受けた楽曲に対し、どの程度知っているか（認識しているか）を示す指標であると理解されるべきものである。楽曲認識度生成部７５は、他の携帯電話２〜４が発する楽曲認識度照会通知に対して、生成した楽曲認識度を応答する。
【００４３】
楽曲了知度生成部７６は、通信部３０を介して受け取った楽曲認識度に基づき、楽曲了知度を生成する。楽曲了知度とは、携帯電話１の使用者が問い合せた楽曲が、同席者にどの程度知られているか（了知されているか）を示す情報である。例えば、楽曲了知度生成部７６は、受け取った楽曲認識度を同席者の数で単純平均することで、楽曲了知度を算出する。あるいは、楽曲了知度生成部７６は、問い合せた楽曲の属性（ジャンルや発表時期等）に応じて、重み付けをしてもよい。単純平均により算出した楽曲了知度が同じであっても、問い合せた楽曲の発表時期が古い方が、発表時期が新しい楽曲よりも同席者が知っている可能性が高いと考えられるためである。
【００４４】
なお、楽曲了知度の生成に関し、具体例を説明したが、これらの具体例に制限されるものではないことは勿論である。即ち、楽曲了知度は、問い合せを行った楽曲が同席者にどの程度認識されているかを示す指標であると理解されるべきものである。制御部７０は、生成した楽曲了知度を、表示部１０を使用して使用者に提供する。
【００４５】
演奏情報蓄積部７７は、同席者がカラオケ装置５に転送した楽曲を転送楽曲データベース６０に登録する。つまり、演奏情報蓄積部７７は、同席者がこれから歌唱するである楽曲を転送楽曲データベース６０に蓄積する。
【００４６】
図５は、各種のデータベースに登録された情報の一例を示す図である。図５（ａ）は、歌唱履歴情報の一例である。図５（ｂ）は、内部楽曲情報の一例である。図５（ｃ）は、転送楽曲情報の一例である。例えば、歌唱履歴情報及び内部楽曲情報には、アーティスト名及び楽曲名が登録され、転送楽曲情報にはさらに、楽曲がカラオケ装置５へ転送された回数（歌唱された回数）が登録されている。転送楽曲情報に、転送回数（歌唱された回数）を登録する理由は、一度、他人の歌唱を聴いたのみでは、そのような楽曲を覚えている可能性は低いが、何度も聴いた楽曲は覚えている可能性が高いためである。
【００４７】
次に、携帯電話１の動作について説明する。
【００４８】
図６は、カラオケを開始する際の携帯電話１の動作の一例を示すフローチャートである。
【００４９】
携帯電話１は、カラオケを開始する際に、ネットワークドメインに参加する（ステップＳ０１）。具体的には、携帯電話１の使用者がカラオケルーム等に入室した際に、携帯電話１をカラオケ装置５のリモコンとして機能させるアプリケーションを起動する。このアプリケーションの起動を契機として、通信制御部７１は、ネットワークドメインに参加するためのネットワークドメイン参加要求を発行する。ネットワークドメイン参加要求を受け付けた携帯電話２〜４は、ＡＣＫ応答を発行し、当該ネットワークドメイン参加要求を正常に受け付けた旨、応答する。なお、ネットワークドメインが存在しない場合には、ネットワークドメイン参加要求に対してＡＣＫ応答をすることで、ネットワークドメインが形成されることになる。
【００５０】
ステップＳ０２において、内部楽曲情報収集部７４は、携帯電話１の内部に存在する音楽ファイルに関する情報を収集し、内部楽曲データベース５０に登録する。
【００５１】
次に、楽曲認識度照会通知を発してからカラオケ装置５に楽曲を転送するまでの動作について説明する。
【００５２】
図７は、楽曲認識度照会通知を発してからカラオケ装置５に楽曲を転送するまでの動作の一例を示すフローチャートである。
【００５３】
楽曲認識度照会部７３は、楽曲認識度照会通知を他の携帯電話２〜４に送信する（ステップＳ１１）。ステップＳ１２において、通信部３０は、携帯電話２〜４のそれぞれが応答する楽曲認識度を受信する。楽曲了知度生成部７６は、楽曲認識度に基づいて、楽曲了知度を生成（ステップＳ１３）し、制御部７０は表示部１０を使って楽曲了知度を使用者に提供する（ステップＳ１４）。ステップＳ１５において、制御部７０は、使用者が楽曲の転送の操作を行ったか否かを判断する。楽曲を転送する操作を行った場合（ステップＳ１５、Ｙｅｓ分岐）は、カラオケ装置制御部７２は、カラオケ装置５に楽曲を転送する（ステップＳ１６）。
【００５４】
次に、楽曲認識度の生成について説明する。
【００５５】
図８は、楽曲認識度生成部７５の動作の一例を示す図である。
【００５６】
ステップＳ２１において、楽曲認識度生成部７５は、歌唱履歴データベース４０を検索することで、問い合せを受けた楽曲が歌唱履歴情報に存在するか否かを確認する（問い合せを受けた楽曲が歌唱履歴データベース４０に登録されているか否かを確認する）。問い合せを受けた楽曲が歌唱履歴情報に存在すれば（ステップＳ２１、Ｙｅｓ分岐）、楽曲認識度生成部７５は、問い合せを受けた楽曲を「知っている」に分類し、問い合せ先の携帯電話に応答する。
【００５７】
問い合せを受けた楽曲が歌唱履歴情報に存在しなければ（ステップＳ２１、Ｎｏ分岐）、楽曲認識度生成部７５は、内部楽曲データベース５０を検索することで、問い合せを受けた楽曲が内部楽曲情報に存在するか否かを確認する（ステップＳ２２）。問い合せを受けた楽曲が内部楽曲情報に存在すれば（ステップＳ２２、Ｙｅｓ分岐）、楽曲認識度生成部７５は、問い合せを受けた楽曲を「知っている」に分類し、応答する。
【００５８】
問い合せを受けた楽曲が内部楽曲情報に存在しなければ（ステップＳ２２、Ｎｏ分岐）、楽曲認識度生成部７５は、転送楽曲データベース６０を検索することで、問い合せを受けた楽曲が転送楽曲情報に存在するか否かを確認する（ステップＳ２３）。問い合せを受けた楽曲が転送楽曲情報に存在すれば（ステップＳ２３、Ｙｅｓ分岐）、楽曲認識度生成部７５は、さらに、問い合せを受けた楽曲が所定の回数以上聴かれたか否かを判断する（ステップＳ２４）。その際、転送楽曲情報に含まれる転送回数を参照する。問い合せを受けた楽曲が、所定の回数以上聴かれた場合には（ステップＳ２４、Ｙｅｓ分岐）、楽曲認識度生成部７５は、問い合せを受けた楽曲を「知っている可能性が高い」に分類し、応答する。
【００５９】
問い合せを受けた楽曲が、所定の回数以上聴かれていなければ場合には（ステップＳ２４、Ｎｏ分岐）、楽曲認識度生成部７５は、問い合せを受けた楽曲を「知っている可能性が低い」に分類し、応答する。
【００６０】
問い合せを受けた楽曲が転送楽曲情報に含まれない場合には（ステップＳ２３、Ｎｏ分岐）、楽曲認識度生成部７５は、問い合せを受けた楽曲を「知らない」に分類し、応答する。
【００６１】
なお、ステップＳ２４における所定の回数は予め定めた値であってもよいし、携帯電話１が、その使用者の年齢を把握することができれば、年齢に応じて所定回数を変更する等の対応をしてもよい。勿論、携帯電話１の使用者が所定の回数を定めることを可能にするメニュー等を設けてもよい。
【００６２】
次に、携帯電話１〜４の相互連携について説明する。
【００６３】
図９は、携帯電話１〜４の相互連携を説明するための図である。
【００６４】
初めに、携帯電話１は、ネットワークドメインに存在する他の携帯電話２〜４に対して、楽曲認識度照会通知を発する（ステップＳ３１）。楽曲認識度照会通知を受けた携帯電話２〜４は、問い合せを受けた楽曲の楽曲認識度を生成する（ステップＳ３２）。さらに、携帯電話２〜４は、ステップＳ３２において、受信した楽曲認識度照会通知に応答する（ステップＳ３３）。携帯電話１は、携帯電話２〜４が送信する楽曲認識度を受信し、楽曲了知度を算出し、使用者に提示する（ステップＳ３４）。ステップＳ３５では、楽曲了知度に接した使用者が、問い合せをした楽曲をカラオケ装置５に転送する。
【００６５】
その後、カラオケ装置制御部７２は、転送した楽曲を歌唱履歴データベース４０に登録する（ステップＳ３６）。また、携帯電話２〜４に含まれる演奏情報蓄積部７７は、携帯電話１がカラオケ装置５に転送した楽曲を、転送楽曲データベース６０に登録する（ステップＳ３７）。カラオケ装置５は、転送された楽曲を予約曲として受け付ける（ステップＳ３８）。あるいは、蓄積している楽曲が存在しなければ、そのままカラオケの再生を行う。
【００６６】
なお、本実施形態に係る携帯電話１〜４は、相互通信することで、問い合せに対応した楽曲認識度を応答しているが、カラオケ装置５にサーバとしての機能を持たせ、携帯電話１〜４が相互に通信しない形態も考えられる。つまり、携帯電話１〜４の内部に存在する各種データベースをカラオケ装置５の内部に配し、カラオケ装置５が楽曲認識度又は楽曲了知度を生成してもよい。
【００６７】
あるいは、携帯電話１〜４のいずれか１台に、サーバとしての機能を持たせ、その他の携帯電話がクライアントとなって、サーバに問い合せる形態であってもよい。
【００６８】
また、携帯電話１〜４は、楽曲認識度の生成に関するアルゴリズムはあくまでも例示であって、使用者が楽曲認識度の生成に関するアルゴリズムを変更可能なメニュー等を備えていてもよい。
【００６９】
さらに、楽曲認識度の生成に使用する情報として、既に説明した情報に加えて、インターネット上で検索した歌手名や、携帯電話で視聴したテレビ番組に出演した歌手名などの情報を保存しておき、楽曲認識度の生成に使用することも可能である。
【００７０】
以上のように、本実施形態に係る携帯電話１〜４（カラオケ用選曲装置）は、その内部に備える無線通信手段によってネットワークドメインを形成する。この形成したネットワークドメイン内で、携帯電話１〜４は、それぞれが持つ情報を相互に交換することで、歌唱しようと思っている楽曲が、どの程度、同席者に知られているか把握することができる。即ち、携帯電話１〜４は、使用者が携帯電話１〜４をカラオケリモコンとして使用する際に、同席者が、歌唱しようと思う楽曲をどの程度知っているか問い合せをする。
【００７１】
さらに、問い合せを受けた携帯電話１〜４は、その内部の情報を分析及び解析することで、「知っている」「知っている可能性が高い」等の楽曲認識度を生成し、問い合せ元の携帯電話に応答する。応答を受け取った携帯電話１〜４は、問い合せをした楽曲がどの程度、同席者が知っているか（了知しているか）を表示する。表示に接した使用者は、問い合せた楽曲を歌唱するか否かを決定する。その結果、問い合せた楽曲の了知度を知ることができるが、どの携帯電話の使用者が知っていたという情報までは表示されないので、問い合せた楽曲を知っている人物が特定されることはない。また、楽曲認識度を生成する際に、自らの歌唱履歴や、同席者の歌唱履歴も使用することで、より正確な楽曲認識度が生成できる。
【００７２】
即ち、本実施形態に係る携帯電話１〜４を使用したカラオケシステムでは、同席者が知っている楽曲を安心して選択することが可能となり、カラオケをより楽しむことが可能となる。さらに、自らの歌唱履歴だけではなく同席者の歌唱履歴が、蓄積されるため、次回以降のカラオケを行う際にはより正確な楽曲認識度の生成が期待できる。さらにまた、カラオケの場で口頭によるコミュニケーションを必要とせず、同席者が楽曲を知っているか否かについて、煩雑な操作は不要である。
【００７３】
また、特許文献１が開示するように、他人の歌唱履歴を参照したとしても、異性とカラオケを楽しむ場合には、そのような歌唱履歴が選曲の参考になることは少ない。異性が過去に歌唱した曲は、自らは歌うことができないのが通常だからである。一方、本実施形態に係る携帯電話１〜４では、自らが歌唱を希望する楽曲がどの程度知られているかについて、直接、確認することができる。さらに、同席者それぞれの情報を確認する必要がないため、短時間で楽曲の了知度を知ることができる。
【００７４】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００７５】
１〜４  携帯電話
５  カラオケ装置
１０、１０１  表示部
２０  操作部
３０、１０２  通信部
４０  歌唱履歴データベース
５０  内部楽曲データベース
６０  転送楽曲データベース
７０、１０５  制御部
７１  通信制御部
７２  カラオケ装置制御部
７３、１０３  楽曲認識度照会部
７４  内部楽曲情報収集部
７５、１０６  楽曲認識度生成部
７６、１０４  楽曲了知度生成部
７７  演奏情報蓄積部
１００  カラオケ用選曲装置
【図１】
2014026223.tif 000003
【図２】
2014026223.tif 000004
【図３】
2014026223.tif 000005
【図４】
2014026223.tif 000006
【図５】
2014026223.tif 000007
【図６】
2014026223.tif 000008
【図７】
2014026223.tif 000009
【図８】
2014026223.tif 000010
【図９】
2014026223.tif 000011